(57)【要約】【課題】  従来の換気扇は、特にあとからその部屋に取り付けようとする換気扇は、穴を開けたパネルを窓枠に取り付けるため窓及び窓枠のデザイン性を低下させ美観に欠けると共に、窓枠とパネルの間に隙間が生じ易く室内の気密性を低下させるという問題点があった。【解決手段】  現在、部屋の多くに取り付けられているエアコンの配管用貫通孔を利用する換気装置であって、室内に開口した吸込口と、ファンの回転により吸込口から室内の空気を吸い込む送風機と、一端部が送風機の吹出し側に接続された風道とを備え、室内の壁面に取り付けるための取付部を有し、前記エアコンの配管用貫通孔を覆うように取り付け可能な室内側カバー部を備え、室内側カバー部には風道の他端部が接続される風道接続開口部が形成されている。【選択図】図１
2014031999.tif 000002
【特許請求の範囲】
【請求項１】
室内に開口した吸込口と、ファンの回転により前記吸込口から室内の空気を吸い込む送風機と、一端部が前記送風機の吹出し側に接続された風道とを備えた換気装置であって、
室内の壁面に取り付けるための取付部を有し、室内から室外に壁を貫通した貫通孔を覆うように取り付け可能な室内側カバー部を備え、前記室内側カバー部には前記風道の他端部が接続される風道接続開口部が形成されていることを特徴とする換気装置。
【請求項２】
室外の壁面に取り付けるための取付部を有し、室外側の前記貫通孔を覆うように取り付け可能な室外側カバー部を備え、前記室外側カバー部には室外に開口した開口部が形成されていることを特徴とする請求項１に記載の換気装置。
【請求項３】
前記風道がフレキシブルホースであることを特徴とする請求項１又は２に記載の換気装置。
【発明の詳細な説明】
【技術分野】
【０００１】  本発明は、住宅等の室内の空気を換気する換気装置に関する。
【背景技術】
【０００２】  従来の換気装置としては、特許文献１の「ホース、パイプを利用した換気扇」があった。特許文献１には、換気扇本体の内部にモーターとファンを取り付け、ファンの回転により、室内の空気を吸入し、その空気を、換気扇本体に取り付けたホース、パイプを通して窓枠に取り付けたパネルの穴から外部に排出させる換気扇が開示されている。
【先行技術文献】
【特許文献】
【０００３】
【特許文献１】  特開平１１−２２３３７１号公報
【発明の概要】
【発明が解決しようとする課題】
【０００４】  上記特許文献１の換気扇は、穴を開けたパネルを窓枠に取り付けるため窓及び窓枠のデザイン性を低下させ美観に欠けると共に、窓枠とパネルの間に隙間が生じ易く室内の気密性を低下させるという問題点があった。【０００５】  また、近年、住宅等の壁にはエアコンの冷媒配管と内外接続電線を通すための貫通孔が新築時に形成されているのが一般的であるが、この貫通孔はエアコン専用のものであり、換気扇による換気に用いられることはなかった。
【課題を解決するための手段】
【０００６】  上記課題を解決するために、本発明の換気装置は以下の構成を有している。
請求項１に記載の発明は、室内に開口した吸込口と、ファンの回転により前記吸込口から室内の空気を吸い込む送風機と、一端部が前記送風機の吹出し側に接続された風道とを備えた換気装置であって、室内の壁面に取り付けるための取付部を有し、室内から室外に壁を貫通した貫通孔を覆うように取り付け可能な室内側カバー部を備え、前記室内側カバー部には前記風道の他端部が接続される風道接続開口部が形成されていることを特徴とするものである。【０００７】  送風機のファンの回転により負圧を発生させて室内の空気を吸込口から吸込み、吸込んだ空気を圧送して風道および室内側カバーを通して壁面の貫通孔から室外に排出する。室内側カバー部は貫通孔を覆うように取り付けられるので、風道から室内側カバー部へ送った空気は室内に戻ることなく、貫通孔を通して確実に室外に排出される。これにより、住宅等の壁に形成された既設の貫通孔を利用して室内の空気を室外に排出して室内を確実に換気できる。また、既設の貫通孔を利用するので、壁に新たに孔を開けたり建築物を改築したりすることなく、簡単に換気装置を設置できる。【０００８】  なお、風道接続開口部は室内側カバー部と換気装置本体との位置関係に応じて設けられることが好ましいので、室内側カバー部に複数の風道接続開口部を形成しておき、設置時にいずれか一の風道接続開口部に風道を接続し、その他の風道接続開口部は蓋等で塞いで使用するようにしてもよい。或いは開口部のない室内側カバー部に設置工事時に所定の位置に風道接続開口部を開けるようにしてもよい。【０００９】  請求項２に記載の発明は、請求項１に記載の換気装置であって、室外の壁面に取り付けるための取付部を有し、室外側の前記貫通孔を覆うように取り付け可能な室外側カバー部を備え、前記室外側カバー部には室外に開口した室外開口部が形成されていることを特徴とするものである。【００１０】  これにより、室内の空気を風道、室内側カバー部、貫通孔、室外側カバー部を通して室外開口部から室外に排気することができる。室外側カバー部は貫通孔を覆うように取り付けられるので、室外から貫通孔を通って直接室内への虫等が侵入するのを防ぐことができる。
なお、室外側カバー部の室外開口部には、防虫網等のフィルターを取り付けることもでき、虫等の侵入を確実に防ぐことができる。また、室外開口部を外側から覆うカバーを設ければ、室外開口部から室外側カバー部に雨や雪等が入るのを防止できる。さらに、このカバーを設けることで室外開口部から出た排気の方向を下向き等に変更することができるので、排気が隣家で直接流れるのを防ぐことができる。【００１１】  請求項３に記載の発明は、請求項１又は２に記載の換気装置であって、前記風道がフレキシブルホースであることを特徴とするものである。【００１２】  これにより、換気装置本体の設置位置を容易に変えることができる。
なお、換気装置本体は床面に直置きしてもよいし、壁面に固定できるようにしてもよい。壁面に固定する場合、換気装置本体のデザインを工夫することにより、風道接続部の位置を室内側カバー部の風道接続部の方向に向けて設置することも可能になり、その場合風道の長さが短くなり換気の効率を良くできる。
【発明の効果】
【００１３】  本発明の換気装置によれば、壁に形成された既設の貫通孔を利用して室内の空気を室外に排出して室内を十分に換気できるので、壁に孔を開けたり建築物を改築したりすることなく、簡単に換気装置を設置できる。特に、室内側カバー部を備えているので、風道から室内側カバー部へ送られた空気が室内に戻ることなく、貫通孔を通して確実に室外に排出することができる。また、室外側カバー部を備えた場合は、室外から室内への虫等の侵入を防ぐことができる。さらに、風道がフレキシブルホースである場合は、換気装置本体の設置位置を使用者が容易に変えることができる。
【図面の簡単な説明】
【００１４】
【図１】  （ａ）実施の形態１の換気装置の室内側の取付状態を示す正面図  （ｂ）実施の形態１の換気装置の室外側の取付状態を示す正面図
【図２】  換気装置本体を示す正面図
【図３】  （ａ）換気装置本体の内部構造を示す正面断面図  （ｂ）換気装置本体の内部構造を示す上面断面図
【図４】  （ａ）室内側カバー部の正面図  （ｂ）室外側カバー部の正面図
【図５】  室内側カバー部と室外側カバー部の取付状態を示す断面図
【発明を実施するための形態】
【００１５】  以下、本発明を実施するための最良の形態を、図面を参照しながら説明する。
（実施の形態１）
図１（ａ）は本発明の実施の形態１の換気装置の室内側の取付状態を示す正面図であり、図１（ｂ）は本発明の実施の形態１の換気装置の室外側の取付状態を示す正面図である。
図１（ａ）において、１は本発明の実施の形態１の換気装置、２は室内の壁面Ｗｉに取付固定された換気装置本体、３は換気装置本体２の前面に設けられた吸込口、４は換気装置本体２の側面に接続されたフレキシブルホースからなる風道、５は壁の貫通孔を室内側から覆うように壁面Ｗｉに取付固定された室内側カバー部、Ａは換気装置本体２と同じ壁面Ｗｉに取付固定されたエアコンの室内機、Ｂ１〜Ｂ３はエアコンの室内側の冷媒配管Ｃを覆うように取り付けられたダクトケースである。
図１（ｂ）において、６は壁に形成された貫通孔を室外側から覆うように壁面Ｗｏに取付固定された室外側カバー部、Ｄは室外に設置されたエアコンの室外機、Ｅはエアコンの室外側の冷媒配管Ｃを覆うように取り付けられたダクトケースである。
【００１６】  冷媒配管Ｃはエアコンの冷媒を通す往き戻りの配管と内外接続電線やドレンホース等を束ねて粘着テープ等を巻いたものであり、エアコンの室内機Ａから壁の貫通孔を通って室外機Ｄへ接続されている。
【００１７】  図２は換気装置本体を示す正面図である。
図２において、２は換気装置本体、３は吸込口、３ａは吸込口３に設けられた吸込口グリル、７は換気装置本体２の外装である本体ケーシング、８は本体ケーシング７の側面に形成された筒状の送風側風道接続部である。
【００１８】  図３（ａ）は換気装置本体の内部構造を示す正面断面図であり、図３（ｂ）は換気装置本体の内部構造を示す上面断面図である。
図３において、２は換気装置本体、３は吸込口、３ａは吸込口グリル、７は本体ケーシング、８は送風側風道接続部、１０は換気装置本体２の本体ケーシング７の内部に設けられた送風機、１１は送風機１０のファン、１２は送風機１０の送風機ケーシング、１３は送風機１０のファンモーターである。
【００１９】  ここで、送風側風道接続部８には図１（ａ）に示す風道４の一端部が差し込まれて接続される。
送風機１０はファン１１と送風機ケーシング１２とファンモーター１３で構成され、その吸込側は吸込口３に向かって配置され、吹出し側は送風側風道接続部８に接続されている。送風機１０は図示しないスイッチ等によりファン１１の回転をオンオフできるようになっている。
【００２０】  図４（ａ）は室内側カバー部の正面図であり、図４（ｂ）は室外側カバー部の正面図であり、図５は室内側カバー部と室外側カバー部の取付状態を示す断面図である。
図４（ａ）において、５は室内側カバー部、１５は室内側カバー部５のカバー部本体、１５ａはカバー部本体１５の上部に形成されたダクトケース接続部、１６はカバー部本体１５の周囲に形成された取付部、１６ａは取付部１６に複数形成されたビス穴、１７はカバー部本体１５の後述の風道接続開口部に形成された筒状のカバー部側風道接続部である。
図４（ｂ）において、６は室外側カバー部、２０は室外側カバー部６のカバー部本体、２０ａはカバー部本体２０の下部に形成されたダクトケース接続部、２１はカバー部本体２０の周囲に形成された取付部、２１ａは取付部２１に複数形成されたビス穴、２２は室外側カバー部６の正面に形成された矩形の室外開口部、２３は室外開口部２２を覆うように形成されたカバーである。
図５において、１７ａはカバー部本体１５の側面に形成された風道接続開口部、２２ａは室外開口部２２に覆設された防虫網等のフィルター、Ｆは室内と室外の間の壁、Ｇは壁Ｆに形成された貫通孔、Ｇ１は貫通孔Ｇに設けられた貫通孔カバーである。
【００２１】  ここで、カバー部側風道接続部１７には図１（ａ）に示す風道４の他端部が差し込まれて接続される。
室内側カバー部５は取付部１６で壁面Ｗｉに固定される。室外側カバー部６は取付部２１で壁面Ｗｏに固定される。いずれも固定にはビス又は接着材等が用いられる。
なお、室内側カバー部５のダクトケース接続部１５ａ及び室外側カバー部６のダクトケース接続部２０ａは、それぞれ図１（ａ）に示すダクトケースＢ３及び図１（ｂ）に示すダクトケースＥに接続されているが、図５では図示を省略している。またこの接続部１５ａ及び２０ａでそれぞれのダクトケースを接続する際には、パテ等を用いてダクトケース側に換気風が逃げない処置をする必要がある。
冷媒配管Ｃは貫通孔Ｇに通されているが、貫通孔Ｇの内部には冷媒配管Ｃと貫通孔カバーＧ１の間に十分に隙間があるため、換気動作時にはここを空気が流れる。
【００２２】  以上のように構成された実施の形態１の換気装置１について、その換気動作を説明する。
換気装置１は換気装置本体２と風道４と室内側カバー部５と室外側カバー部６で構成されている。
室内の換気を行う場合、図示しないスイッチをオンして換気装置本体２の送風機１０のファン１１を回転させる。ファン１１の回転により送風機ケーシング１２内に負圧を発生させ、吸込口３から室内の空気を吸込み、吸込んだ空気を送風側風道接続部８から風道４、カバー部側風道接続部１７、風道接続開口部１７ａを通して室内側カバー部５の内部へ圧送する。圧送された空気は室内側カバー部５から壁Ｆの貫通孔Ｇから室外側カバー部６に送られ、室外開口部２２から室外に排出され、換気が行われる。
【００２３】  このように、換気装置１によれば、住宅等の壁Ｆに形成された既設の貫通孔Ｇを利用して室内の空気を室外に排出して室内を確実に換気できる。また、エアコンの冷媒配管Ｃを通すための既設の貫通孔Ｇを利用するので、壁Ｇに新たに孔を開けたり建築物を改築したりすることなく、簡単に換気装置１を設置できる。
室内側カバー部５は室内側の貫通孔Ｇを覆うように取り付けられるので、風道４から室内側カバー部５へ送った空気は室内に戻ることなく、貫通孔Ｇから室外側カバー部６を通して確実に室外に排出される。
室外側カバー部６は室外側の貫通孔Ｇを覆うように取り付けられるので、室外から貫通孔Ｇを通って直接室内への虫等が侵入するのを防ぐことができる。特に、室外側カバー部６の室外開口部２２に防虫網等のフィルター２２ａを取り付ければ虫等の侵入を確実に防ぐことができる。
室外側カバー部６には、室外開口部２２を外側から覆うカバー２３が形成されているので、室外開口部２２から室外側カバー部６の内部に雨や雪等が入るのを防止できると共に、排気の方向を下向きに変更することができるので、排気が隣家に直接流れるのを防ぐことができる。
【産業上の利用可能性】
【００２４】  本発明によれば、壁に形成された既設の貫通孔を利用して室内の空気を室外に排出して室内を十分に換気できるので、壁に孔を開けたり建築物を改築したりすることなく、簡単に設置できる換気装置を提供できる。特に、室内側カバー部を備えているので、風道から室内側カバー部へ送られた空気が室内に戻ることなく、貫通孔を通して確実に室外に排出することができる換気装置を提供できる。また、室外側カバー部を備えた場合は、室外から室内への虫等の侵入を防ぐことができる。
【符号の説明】
【００２５】  １  換気装置
２  換気装置本体
３  吸込口
３ａ  吸込口グリル
４  風道
５  室内側カバー部
６  室外側カバー部
７  本体ケーシング
８  送風側風道接続部
１０  送風機
１１  ファン
１２  送風機ケーシング
１３  ファンモーター
１５，２０  カバー部本体
１５ａ，２０ａ  ダクトケース接続部
１６，２１  取付部
１６ａ，２１ａ  ビス穴
１７  カバー部側風道接続部
１７ａ  風道接続開口部
２２  室外開口部
２２ａ  フィルター
２３  カバー
Ａ  室内機
Ｂ１，Ｂ２，Ｂ３，Ｅ  ダクトケース
Ｃ  冷媒配管
Ｄ  室外機
Ｆ  壁
Ｇ  貫通孔
Ｇ１  貫通孔カバー
Ｗｉ，Ｗｏ  壁面
【図１】
2014031999.tif 000003
【図２】
2014031999.tif 000004
【図３】
2014031999.tif 000005
【図４】
2014031999.tif 000006
【図５】
2014031999.tif 000007